(57)【特許請求の範囲】
【請求項１】
遊技機の外郭を構成する外枠に遊技機本体を構成する内枠が開閉可能且つ着脱可能に取り付けられる遊技機において、
前記外枠又は前記内枠の一方に設けられたヒンジ軸と、
他方に一体的に設けられ、前記ヒンジ軸を軸受け面の一部が開口された軸受け部で回動可能に支持するとともに前記開口を介してヒンジ軸が前記軸受け部に嵌脱可能とされたヒンジ体と、
前記ヒンジ体に設けられ、前記開口を開放する開放位置及び開口の少なくとも一部を閉塞する閉塞位置に移動可能な移動部材と、
前記移動部材を前記ヒンジ体との間で挟持するとともに前記閉塞位置側に付勢する付勢部材と、
前記付勢部材に設けられた係止部と、
前記他方又は前記ヒンジ体に設けられ前記係止部が係脱可能な被係止部と、
を有することを特徴とする遊技機。
【請求項２】
前記付勢部材がばね部材であるとともに、前記係止部はそのばね部材の一端側に設けられてＵ字状に屈曲し弾性変形により拡縮可能な拡縮部とされ、且つ、ばね部材の他端側に、前記移動部材を前記ヒンジ体との間で挟持する挟持部が設けられ、
前記被係止部は前記ばね部材の前記拡縮部が挿入されて係止されるとともに、前記挟持部を、前記ヒンジ体との間で前記移動部材を挟持する位置に配置するよう、前記他方又は前記ヒンジ体に設けられた挿入部とされることを特徴とする請求項１記載の遊技機。
【請求項３】
前記移動部材に、前記軸受け部へ嵌め入れる前記ヒンジ軸に押圧され移動部材を開放位置側へ移動させる押圧部を設けたことを特徴とする請求項１又は請求項２記載の遊技機。
【請求項４】
前記移動部材は、前記ヒンジ体に立設された支軸に回動可能に支持される回動部材であることを特徴とする請求項１〜請求項３の何れか１項記載の遊技機。
【発明の詳細な説明】
【０００１】
【発明の属する技術分野】
本発明は遊技機に係り、詳しくは、遊技機の外郭を構成する外枠に遊技機本体を構成する内枠が開閉可能且つ着脱可能に取り付けられる遊技機に関する。
【０００２】
【従来の技術】
パチンコ機等の遊技機では、遊技機の外郭を構成する外枠に木製のものが多用されている。例えば、図１１及び図１２に示される従来の外枠３００は、木材から削り出した上枠材３０２、下枠材３０４、左枠材３０６、及び右枠材３０８を矩形状に組み合わせ、各枠材の端部内側（四隅）を板金製のＬ型連結部材３１０Ｌ、３１０Ｒ、３１２Ｌ、３１２Ｒで固定することにより枠状に形成している。さらに、その枠状体の前面下端部には、枠状体を補強する木製の補強板３１４がＬ型連結部材３１２Ｌ、３１２Ｒを介して固定されており、補強板３１４の前面には化粧パネルとなる合成樹脂製の下飾り３１６が取り付けられている。
【０００３】
また、上枠材３０２と補強板３１４との各左端部には内枠（図示省略）を開閉可能に支持するための板金製のヒンジ３１８、３２０がネジ止め固定されており、下側のヒンジ３２０には内枠側のヒンジ孔を軸支する鋼鉄製のヒンジ軸３２２が立設されている。さらに、右枠材３０８の内側面には内枠に設けられた施錠装置のフックが係合する板金製の鍵受け３２４、２個がネジ止め固定されている。
【０００４】
一方、近年では、環境問題を背景とした木材使用量の低減、あるいはリサイクル性等を考慮し、木製に替えて板金等の枠材を用いるものや、型成形により上枠部、下枠部、左枠部、及び右枠部を一体化した一体構造の外枠が普及しつつある。例えば、成形品による外枠としては、合成樹脂材料によるものがあり（例えば、特許文献１参照）、また本出願人は、特願２００２−３６２０７７においてアルミダイキャスト製の外枠を出願している。またその出願では、内枠を開閉可能に支持するためのヒンジ部や、施錠装置のフック部が係合する鍵受け部を外枠に一体的に設けることで、部品点数の削減及び寸法精度の向上を図ることを提案している。
【０００５】
他方、上述した外枠３００では、ヒンジ３１８、３２０を介して取り付けられる内枠の着脱性を良好にするため、上側のヒンジ３１８には、内枠側のヒンジ軸を回動可能に支持する軸受け部材（合成樹脂製）、軸受け部材をヒンジ３１８にカシメ固定するカシメピン、ヒンジ３１８の支軸に回動可能に軸支されて軸受け部材が支持するヒンジ軸をその状態に保持又は保持解除する解除レバー（合成樹脂製）、解除レバーをヒンジ軸の保持位置側へ付勢するバネ部材が組み込まれており、解除レバーは上記の支軸にワッシャを介してＥリングにより取り付けている。この構成により、解除レバーの操作だけで内枠側のヒンジ軸をヒンジ３１８に保持・保持解除できるようになり、内枠を外枠３００に容易に着脱することができている（例えば、特許文献２参照）。
【０００６】
【特許文献１】
特開２００２−２３３６４１公報  （第３頁、第１図、第２図）
【特許文献２】
特開平９−４７５５５号公報  （第３−４頁、第５図、第６図）
【０００７】
【発明が解決しようとする課題】
しかしながら、上述のヒンジ機構では、解除レバーをＥリング止めしているため組立作業性が悪く、さらに部品点数も多いため生産性を低下させている。また、このヒンジ機構の構成を、ヒンジ部を一体的に設けたアルミダイキャスト製の外枠に用いた場合は、使用後の外枠を原材料へ戻しリサイクルする際に、外枠から異材質の部品を取り外す作業でＥリング止めやカシメ固定の分解が大きな負担になる。
【０００８】
本発明は上記事実を考慮して、外枠に内枠を開閉可能且つ着脱可能に取り付けるヒンジ機構の組立・分解作業性を良好にするとともに部品点数を削減して生産性を向上させた遊技機を提供することを課題とする。
【０００９】
【課題を解決するための手段】
上記目的を達成するために請求項１に記載の発明は、遊技機の外郭を構成する外枠に遊技機本体を構成する内枠が開閉可能且つ着脱可能に取り付けられる遊技機において、前記外枠又は前記内枠の一方に設けられたヒンジ軸と、他方に一体的に設けられ、前記ヒンジ軸を軸受け面の一部が開口された軸受け部で回動可能に支持するとともに前記開口を介してヒンジ軸が前記軸受け部に嵌脱可能とされたヒンジ体と、前記ヒンジ体に設けられ、前記開口を開放する開放位置及び開口の少なくとも一部を閉塞する閉塞位置に移動可能な移動部材と、前記移動部材を前記ヒンジ体との間で挟持するとともに前記閉塞位置側に付勢する付勢部材と、前記付勢部材に設けられた係止部と、前記他方又は前記ヒンジ体に設けられ前記係止部が係脱可能な被係止部と、を有することを特徴としている。
【００１０】
請求項１に記載の発明では、外枠又は内枠の一方に設けたヒンジ軸が他方に設けたヒンジ体の軸受け部に回動可能に支持されることにより、内枠は外枠に対して開閉可能となる。また、ヒンジ体の軸受け部については軸受け面の一部を開口させ、この開口は、付勢部材によって閉塞位置側に付勢した移動部材により少なくとも一部が閉塞し、移動部材を付勢部材の付勢力に抗して移動させることにより開放するようにする。これにより、通常、移動部材が軸受け部の開口を閉塞する閉塞位置にあると、軸受け部に支持されたヒンジ軸はその状態に保持される。そして、移動部材を操作し閉塞位置から開放位置に移動させると、ヒンジ軸は保持解除され開口を介して軸受け部に嵌脱できるようになるため、内枠が外枠に着脱できるようになる。
【００１１】
また、ここでの付勢部材は、移動部材を付勢するとともに、移動部材をヒンジ体との間で挟持している。このように、移動部材を付勢部材によってヒンジ体に取り付けることにより、ネジやＥリング等の固定部材を用いる場合に比べ、移動部材の着脱が容易となり、外枠に内枠を開閉可能且つ着脱可能に取り付けるヒンジ機構の組立・分解作業性が良好になる。さらにここでは、外枠又は内枠の一方に設けたヒンジ軸に対し、他方に設けるヒンジ体を外枠又は内枠に一体的に設けることにより、ヒンジ機構を構成する部品点数が削減される。また、例えば、軸受け部をヒンジ体に一体的に設けた場合は、軸受け部の固定が不要になるとともに部品点数が更に削減される。これにより、上述した固定部材の廃止と併せ、部品点数の削減が図られて生産性が向上する。
【００１３】
さらにここでは、付勢部材に設けた係止部を、ヒンジ軸を持たない側の外枠又は内枠に設けた被係止部、あるいはヒンジ体に設けた被係止部に係脱できるようにすることで、付勢部材は外枠又は内枠あるいはヒンジ体に取り付けられ、その着脱性が良好になる。
【００１４】
請求項２に記載の発明は、請求項１記載の遊技機において、前記付勢部材がばね部材であるとともに、前記係止部はそのばね部材の一端側に設けられてＵ字状に屈曲し弾性変形により拡縮可能な拡縮部とされ、且つ、ばね部材の他端側に、前記移動部材を前記ヒンジ体との間で挟持する挟持部が設けられ、前記被係止部は前記ばね部材の前記拡縮部が挿入されて係止されるとともに、前記挟持部を、前記ヒンジ体との間で前記移動部材を挟持する位置に配置するよう、前記他方又は前記ヒンジ体に設けられた挿入部とされることを特徴としている。
【００１５】
請求項２に記載の発明では、付勢部材をばね部材とすることにより付勢部材を簡単且つ安価に作製することができる。また、付勢部材に設ける係止部は、ばね部材の一端側に設けられてＵ字状に屈曲され弾性力（弾性変形）により拡縮可能な拡縮部とし、この拡縮部に対応する被係止部は、拡縮部が挿入されると、ばね部材の他端側に設けられた挟持部を、ヒンジ体との間で移動部材を挟持する位置に配置するよう、他方又はヒンジ体に設けられた挿入部とすることで、拡縮部を挿入部へ挿入すると、縮小側へ弾性変形した拡縮部は元に戻ろうとする弾性力によって挿入部に係止する。これにより、簡単な構造で係止部を被係止部に確実に係止させることができる。また、拡縮部は挿入部へ挿入された状態でも弾性変形できるため、この拡縮部の弾性力によって移動部材を付勢することも可能である。
【００１６】
請求項３に記載の発明は、請求項１又は請求項２記載の遊技機において、前記移動部材に、前記軸受け部へ嵌め入れる前記ヒンジ軸に押圧され移動部材を開放位置側へ移動させる押圧部を設けたことを特徴としている。
【００１７】
請求項３に記載の発明では、内枠を外枠に取り付ける際に、ヒンジ軸をヒンジ体の軸受け部へ嵌め入れようとすると、移動部材はヒンジ軸に押圧部が押圧され開放位置側へ移動する。そしてそのまま、開放された開口を通してヒンジ軸を軸受け部へ嵌め入れることができる。これにより、移動部材を操作しなくてもヒンジ軸を軸受け部へ嵌め入れられるようになり、内枠の取付作業性が良好になる。
【００１８】
請求項４に記載の発明は、請求項１〜請求項３の何れか１項記載の遊技機において、前記移動部材は、前記ヒンジ体に立設された支軸に回動可能に支持される回動部材であることを特徴としている。
【００１９】
請求項４に記載の発明では、ヒンジ体に立設した支軸に移動部材としての回動部材を回動可能に支持し、この回動部材の回動操作によって、軸受け部の開口を開閉可能とする。このような回動部材を用いることにより、軸受け部の開口を開閉する構造、すなわち、移動部材を開放及び閉塞位置に移動させる構造を簡素化することができるとともに、スライド構造等に比べ操作性もよい。
【００２２】
【発明の実施の形態】
以下、図面を参照して本発明の実施の形態について説明する。
【００２３】
（パチンコ機の構成）
図１及び図２には、一実施の形態に係るパチンコ機が示されている。図１及び図２に示すように、パチンコ機１０は、パチンコ機１０の外郭を構成するとともにパチンコホールの島設備に設置される矩形状の外枠１２を備えている。外枠１２の前面には矩形額縁状の内枠１４が配置されており、内枠１４は、外枠１２に設けられた一対のヒンジ部１６、１８に左側端部が軸支されて開閉可能に取り付けられている。また外枠１２の前面下部には、化粧パネルとなる合成樹脂製の下飾り２０が取り付けられている。
【００２４】
内枠１４の前面上部には、ガラス板２２を装着したガラスフレーム２４を備えるガラス枠２６が配置されており、ガラス枠２６は左側端部が内枠１４に軸支されて開閉可能に取り付けられている。また、内枠１４の上部におけるガラス枠２６裏面側には、交換可能とされた遊技盤１００がセットされており、遊技盤１００は、ガラス枠２６を内枠１４に閉塞した状態でガラス枠２６に覆われるようになっている。
【００２５】
図２に示すように、パチンコ機１０の正面となるガラス枠２６の前面には、賞球表示灯や完了表示灯等としての機能を有する複数の表示灯８０と、賞球払出エラー表示灯８２及び払出状態エラー表示灯８４とがガラス板２２（遊技盤１００の遊技領域）を取り囲むように配列されており、さらに左上隅近傍と右側端上部には、遊技の効果音をステレオ出力するスピーカー８６、８８が配設されている。
【００２６】
また、内枠１４の前面下部には、遊技球を貯える球皿２８を備えた一体皿ユニット３０が配置されている。この一体皿ユニット３０も左側端部が内枠１４に軸支されて開閉可能に取り付けられており、一体皿ユニット３０の前面には、図２に示すように、左側下部に灰皿３２が配置され右側端部には打球の飛距離を調整するための発射ハンドル３４が取り付けられている。
【００２７】
一体皿ユニット３０の裏面には、発射ハンドル３４の基端部がネジ止めされてその基端固定部分を補強する板金製の発射ハンドル補強板３６と、球皿２８に貯められた遊技球が送り込まれる球送り装置３８とが取り付けられている。また、内枠１４の下部における一体皿ユニット３０裏面側には、遊技盤１００の左下に発射装置４０が配置され球皿２８の後方に位置して貯球タンク４２が取り付けられており、これらの発射装置４０及び貯球タンク４２は一体皿ユニット３０に覆われるようになっている。
【００２８】
内枠１４の裏面側には、貯球タンク４２の左側略上方に位置して賞球払出装置（図示省略）が設けられており、賞球払出装置から払い出された賞球は貯球タンク４２の上面左端部に形成されたタンク入口（図示省略）を介してタンク内へ落下されるようになっている。また、貯球タンク４２は、タンク底面が右側へ下り傾斜しており、その傾斜方向下流側となる前面右側端部にはタンク出口４４が形成されている。このタンク出口４４は、一体皿ユニット３０に形成された賞球排出口４６と対応して配置されており、賞球排出口４６は一体皿ユニット３０の前面に設けられた球皿２８と連通している。これにより、賞球払出装置からタンク内へ払い出された賞球は、タンク底面上を上流側（左側）から下流側（右側）へ転動し、タンク出口４４を介して賞球排出口４６から球皿２８に排出される。
【００２９】
また、タンク出口４４と賞球排出口４６との各下方位置には、上下方向に移動可能とされたシャッター板４８、５０がそれぞれ設けられている。このシャッター板４８、５０は、図２に示すように一体皿ユニット３０が閉塞された状態では各々下方へ移動してタンク出口４４と賞球排出口４６とを連通させ、図１に示すように一体皿ユニット３０が開放されると各々上方へ移動して、シャッター板４８はタンク出口４４の下縁側を、シャッター板５０は賞球排出口４６の下縁側を塞ぐようになっている。これにより、一体皿ユニット３０を開放した際に球皿２８及び貯球タンク４２から遊技球（賞球）がこぼれ出さないようにされている。
【００３０】
一方、内枠１４裏面の右側端部には施錠装置５２が取り付けられている。施錠装置５２にはシリンダー錠（錠前）５４が設けられており、このシリンダー錠５４の鍵孔５６は内枠１４の前面から露出されている。また、施錠装置５２の上下端部近傍で、外枠１２の右内側面に設けられた一対の鍵受け部５８Ａ、５８Ｂと対応する位置には、後方へ突出された一対の内枠固定用フック６０Ａ、６０Ｂが設けられており、ガラス枠２６裏面の右側端部に取り付けられているガラス枠補強板６２に設けられた一対の鍵受け部６４Ａ、６４Ｂと対応する位置には、内枠１４に形成されたスリット６６Ａ、６６Ｂを通して前方へ突出された一対のガラス枠固定用フック６８Ａ、６８Ｂが設けられている。さらに、施錠装置５２の下方部で、一体皿ユニット３０裏面の発射ハンドル補強板３６に形成された一対の鍵受け開口部７０Ａ、７０Ｂと対応する位置には、内枠１４に形成されたスリット７２Ａ、７２Ｂを通して前方へ突出された一対の一体皿ユニット固定用フック７４Ａ、７４Ｂが設けられている。これにより、内枠１４を閉じた際は、内枠固定用フック６０Ａ、６０Ｂが鍵受け部５８Ａ、５８Ｂに係合して内枠１４は外枠１２に固定され、ガラス枠２６を閉じた際は、ガラス枠補強板６２の鍵受け部６４Ａ、６４Ｂがガラス枠固定用フック６８Ａ、６８Ｂに係合してガラス枠２６は内枠１４に固定される。一体皿ユニット３０を閉じた際は、発射ハンドル補強板３６の鍵受け開口部７０Ａ、７０Ｂが一体皿ユニット固定用フック７４Ａ、７４Ｂに係合して一体皿ユニット３０は内枠１４に固定される。
【００３１】
また、内枠固定用フック６０Ａ、６０Ｂ及びガラス枠固定用フック６８Ａ、６８Ｂは、シリンダー錠５４の鍵孔５６に図示しない鍵を差し込んで所定方向に回すことにより、係合状態がそれぞれ解除されて解錠されるようになっている。一体皿ユニット固定用フック７４Ａ、７４Ｂについては、ガラス枠２６を開放すると露出される施錠装置５２の解除レバー７６を押し下げることにより、一体皿ユニット固定用フック７４Ａ、７４Ｂが下方へスライドして鍵受け開口部７０Ａ、７０Ｂとの係合状態が解除されるようになっている。この施錠装置５２により、内枠１４は外枠１２に施錠され、ガラス枠２６は内枠１４に施錠されるとともに、一体皿ユニット３０は内枠１４にロックされて、それぞれ閉塞状態に固定される。
【００３２】
（遊技盤の構成）
遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２と内レール１０４とによって囲まれた円形状の領域は、遊技球が移動可能な遊技領域１０１とされている。
【００３３】
遊技領域１０１（盤面１００Ａ）のほぼ中央には、特別図柄表示装置１０６が配置されている。特別図柄表示装置１０６は液晶ディスプレイを内蔵しており、そのディスプレイ画面１０８には特別図柄の抽選や各種演出等のアニメーションが表示される。
【００３４】
特別図柄表示装置１０６の下方には、始動口（スタート・チャッカー）１１０が配置されている。始動口１１０の下方には、遊技領域１０１の下端部付近に位置して変動入賞装置（特別電動役物）１１２が配設されており、変動入賞装置１１２は、左右幅方向を長手とした矩形状の大入賞口（アタッカー）１１４を備え、大入賞口１１４内には通称「Ｖゾーン」と呼ばれる連続役物作動口（図示省略）が設けられている。大入賞口１１４は、開閉扉１１６が開放又は閉塞することによって開口又は閉口するようになっており、開閉扉１１６の開放時には、開閉扉１１６上に落下した遊技球が開閉扉１１６に案内されて大入賞口１１４へ入賞する。さらに、遊技領域１０１には、入賞口１１８、風車１２０、サイド飾り１２２Ｌ、１２２Ｒが設けられており、最下位置にアウト口１２４が配置されている。
【００３５】
なお、上述した役物や各種遊技部品が取り付けられている遊技領域１０１には、遊技領域１０１内を落下する遊技球を所定の経路に誘導する多数の遊技釘が打ち込まれているが、図１ではそれら遊技釘の図示を省略している。また、本実施形態のパチンコ機１０は、発射装置４０を遊技盤１００の左下に配置して遊技球を上方に発射する機種であり、従来機種に比べてアウト口１２４の位置を下げることにより遊技領域１０１が拡大されている。また、パチンコ機本体は、ガラス枠２６や一体皿ユニット３０等を備えるとともに遊技盤１００が搭載された内枠１４によって構成されており、それらの内枠１４、ガラス枠２６、及び一体皿ユニット３０等は全て樹脂成形品とされている。
【００３６】
（パチンコ機の遊技仕様）
パチンコ機１０による遊技では、遊技者が発射ハンドル３４を操作すると、球皿２８に貯えられている遊技球は球送り装置３８により一球づつ発射装置４０に供給され、発射装置４０によって上方へ発射される（図１の矢印Ａ方向）。発射された遊技球は、外レール１０２に沿って遊技盤１００の遊技領域１０１に打ち込まれ、遊技釘に当たり方向を変えながら遊技領域１０１内を落下する。そして、入賞せずに遊技領域１０１の下端部に至った遊技球はアウト口１２４からパチンコ機１０内に回収される。
【００３７】
また、遊技球が入賞口１１８に入賞すると、賞球払出装置が作動して所定数（例えば５個）の賞球を払い出し、その払い出された賞球は、貯球タンク４２内を通りタンク出口４４を介して賞球排出口４６から球皿２８に排出される。
【００３８】
さらに、始動口１１０へ入賞すると、パチンコ機１０内の制御部（主制御基板）において当たり／外れの抽選処理が実行され、その抽選結果は、特別図柄表示装置１０６のディスプレイ画面１０８に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００３９】
そして、抽選結果が「大当たり」となった場合は、特別図柄表示装置１０６のディスプレイ画面１０８に、例えば、リーチ・アクションを経て「５５５」等の予め定められた所定の当たり図柄の組み合わせが表示されるとともに、表示灯８０の点滅やスピーカー８６、８８からの効果音出力などによる演出を加えて、大当たりが発生したことを遊技者に報知し、所定の大当たり動作を実行する。
【００４０】
大当たり動作としては、大入賞口１１４が、例えば１０カウント（入賞個数）又は最大３０秒間（１回の開放時間）／最高１６ラウンド（継続回数）開放されるとともに、１回の大入賞口１１４開放時に大入賞口１１４内のＶゾーンへの入賞を果たすことで次ラウンドを継続するといった動作が行われる。これにより、遊技者は、発射した遊技球を大入賞口１１４へ容易に入賞させ、例えば入賞１個当たり１５個の払い出しを受けるなどして、大量の賞球を獲得できるようになる。そして大量の賞球払い出しにより球皿２８が満杯になると、球皿２８に貯え切れなくなった分の賞球は貯球タンク４２内に貯球される。
【００４１】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが特別図柄表示装置１０６の回転時間が短縮され大入賞口１１４が開放し易くなって球持ちをよくする「時短機能」といった付加機能が作動して、遊技者にとって有利な遊技状態が展開される。
【００４２】
（外枠及びヒンジ機構の構成）
次に、図３〜図１０を用いて外枠１２に内枠１４を開閉可能且つ着脱可能に取り付けるヒンジ機構の構成ついて詳細に説明する。
【００４３】
本実施形態に係る外枠１２は、アルミニウム合金による成形品（アルミダイキャスト製）とされている。図３及び図４に示されるように、外枠１２は、上枠部１５２、下枠部１５４、左枠部１５６、及び右枠部１５８が一体化された一体構造の枠本体１５０を備え、枠本体１５０の前面下部には、枠本体１５０を補強するとともに下飾り２０を取り付けるための立壁部１６０が一体的に設けられている。この枠本体１５０の内側に形成される空間１５１に、パチンコ機本体を構成する内枠１４の裏面側が収容されるようになっている。
【００４４】
また、前述したヒンジ部１６は上枠部１５２の左端部に、ヒンジ部１８は立壁部１６０の左側上端部にそれぞれ一体的に設けられて図示のように前方へ突出している。鍵受け部５８Ａ、５８Ｂについては、右枠部１５８の内側面にそれぞれ一体的に設けられて図示のように内方へ突出している。したがって、外枠１２は、一体構造の枠本体１５０に、立壁部１６０、ヒンジ部１６、１８、及び鍵受け部５８Ａ、５８Ｂを全て一体化した構成となっている。
【００４５】
図６（Ａ）、（Ｂ）に示されるように、下側のヒンジ機構としては、内枠１４の左下端部には、ヒンジ孔１７８が形成された板金製のヒンジ板１８０が取り付けられており、外枠１２のヒンジ部１８には、ヒンジ板１８０のヒンジ孔１７８へ挿入されてヒンジ孔１７８を回動可能に支持するヒンジピン２００が立設されている。なお、本実施形態のヒンジピン２００はステンレス合金等の鋼鉄製とされており、アルミニウム合金で形成されたヒンジ部１８よりも耐磨耗性が高くされている。また、ヒンジピン２００の先端側は、ヒンジ孔１７８を案内しやすいよう先細りのテーパー状となっている。
【００４６】
一方、図５（Ａ）、（Ｂ）に示される上側のヒンジ機構としては、内枠１４の左上端部には、鋼鉄製のヒンジピン１６２が立設された板金製のヒンジ板１６４が取り付けられている。外枠１２のヒンジ部１６は、前方へ突出された突出部の前側が略半円形とされており、図７及び図８に示されるように、ヒンジ部１６の下面１６Ａにおけるその略半円形部位には軸受け部２１０が一体的に設けられ、さらに下面１６Ａの左側端部（外側端部）には、軸受け部２１０の左端部から後方へ直線状に延出されたリブ２１２が設けられている。また、ヒンジ部１６の右側には、上枠部１５２の前端部に沿ってヒンジ部１６と同じ肉厚の鍔部１７４が延設されている。これらのヒンジ部１６及び鍔部１７４は、上枠部１５２よりも肉厚が薄くされており、したがって、ヒンジ部１６及び鍔部１７４の下面１６Ａと上枠部１５２の下面１５２Ａとの間には段差が生じている。
【００４７】
軸受け部２１０には、内枠１４側のヒンジピン１６２と対応する溝部２１４が設けられている。溝部２１４は、軸受け部２１０の略半円形形状を形成する中心よりも少し前寄りに位置しており（図１０参照）、軸受け面となる内周面２１４Ａの前側は円筒面とされ内周面２１４Ａの後側は溝幅寸法で開口している（開口２１６）。また、内周面２１４Ａの右側は、開口２１６を介して溝部２１４よりも右側に位置する軸受け部２１０の後面２１０Ａと繋がれており、この後面２１０Ａは、所定の曲率で右側へ凸状に湾曲しヒンジ部１６の右側端部（内側端部）まで延設されている。
【００４８】
さらに、ヒンジ部１６の下面１６Ａには、溝部２１４の後方に位置して支軸２１８が一体的に設けられており、支軸２１８は、高さ寸法（ヒンジ部１６の下面から支軸２１８下端までの寸法）が軸受け部２１０の厚さ寸法と同じとされている（図９参照）。また、溝部２１４よりも左側に位置する軸受け部２１０の後面２１０Ｂは、支軸２１８と同心の円筒面となっている（図１０参照）。
【００４９】
支軸２１８には、解除レバー２２０が回動可能に軸支されるようになっている。解除レバー２２０は合成樹脂材料によって形成されており、図示のような略扇形をしたロック部２２２を備え、ロック部２２２の略扇形形状を形成する中心には、支軸２１８へ挿入される円形の貫通孔２２４が形成されている。また、ロック部２２２の基端部からはレバー部２２６が延出されており、これらのロック部２２２及びレバー部２２６の厚さ寸法は軸受け部２１０の厚さ寸法と同じとされている（図９参照）。
【００５０】
レバー部２２６は、前面のロック部２２２側が軸受け部２１０の後面２１０Ａと同じ曲率で凹状に湾曲した湾曲面２２６Ａとされており（図１０（Ｂ）、（Ｃ）参照）、レバー部２２６の後面とロック部２２２との接続部位には凹状部２２８が設けられている。また、レバー部２２６後面の上端部には、凹状部２２８からレバー部２２６の先端部近傍までリブ２３０が延設されており、このリブ２３０の厚さ寸法は、ヒンジ部１６の下面１６Ａと上枠部１５２の下面１５２Ａとの間の段差寸法と等しくされている（図９参照）。これにより、解除レバー２２０は、貫通孔２２４を支軸２１８へ挿入させることで支軸２１８に軸支されるようになり、その状態で、以下に説明するばね部材２３２により所定の回動方向へ付勢されるようになる。
【００５１】
ばね部材２３２は、ステンレス合金等の金属材料によって形成されており、図８に示すように一端側がＵ字状に屈曲したＵ字状部２３４とされ、Ｕ字状部２３４は屈曲部位となる一端側先端部の弾性変形により拡縮可能となっている（図８の矢印Ｂ方向）。また、Ｕ字状部２３４の一方を延出して形成したばね部材２３２の他端側には、Ｕ字状部２３４に対し垂直方向へ凸状に屈曲された凸状部２３６が設けられている。さらに、他端側の先端部には、Ｕ字状部２３４の屈曲方向と同じ方向へ円弧状に屈曲された円弧状部２３８が設けられている。
【００５２】
一方、外枠１２には、ばね部材２３２を取り付けるための角筒部２４０が一体的に設けられている。角筒部２４０は、上枠部１５２の下面１５２Ａ左側端部に配置されてヒンジ部１６の後方に位置している。この角筒部２４０には、図７及び図９に示すように前後方向に貫通する貫通孔２４２が設けられており、貫通孔２４２の開口形状は左右方向を長手とした略矩形状となっている。
【００５３】
なお、本実施形態の外枠１２は前述したようにアルミダイキャスト製であり、成形では、枠本体１５０及び角筒部２４０は前後方向に型抜きし、軸受け部２１０、リブ２１２、及び支軸２１８を有するヒンジ部１６と鍔部１７４とは上下方向に型抜きするスライド型によって形成している。
【００５４】
次に、本実施の形態に係るヒンジ機構の組立・分解方法、内枠の着脱方法、及び作用について説明する。
【００５５】
上述の構成からなるヒンジ機構を組み立てるには、最初に、解除レバー２２０を図８に示す向きで、貫通孔２２４をヒンジ部１６の支軸２１８に挿入する。解除レバー２２０をヒンジ部１６の下面１６Ａに配置すると、図９に示すように解除レバー２２０のロック部２２２前面左側は軸受け部２１０の後面２１０Ｂに略接触するとともに、ロック部２２２はヒンジ部１６の下側に、レバー部２２６は鍔部１７４の下側にそれぞれ隠れるようになる。
【００５６】
次に、ばね部材２３２を図８に示す向きで、Ｕ字状部２３４を角筒部２４０の貫通孔２４２に挿入する。このＵ字状部２３４の挿入途中では、ばね部材２３２の円弧状部２３８が解除レバー２２０のロック部２２２下面に当たり、ばね部材２３２の前側は下方へ弾性変形する。そして、凸状部２３６を貫通孔２４２の前縁（角筒部２４０の前面）に突き当てるまで挿入すると、円弧状部２３８はロック部２２２を通り抜ける。この通り抜け直後に、ばね部材２３２の前側は弾性力によって元の状態に復帰し、円弧状部２３８は凹状部２２８内に収まって係合する。
【００５７】
このように、ばね部材２３２は、Ｕ字状部２３４が角筒部２４０の貫通孔２４２に挿入されるとともに、凸状部２３６が角筒部２４０の前面に当接し円弧状部２３８が凹状部２２８に係合することで角筒部２４０からの抜け止めがなされる。これに伴い解除レバー２２０は、凹状部２２８に係合した円弧状部２３８によってリブ２３０が支えられ、ばね部材２３２とヒンジ部１６とにより挟持された状態となる（図９参照）。これにより、ばね部材２３２は角筒部２４０から抜け出すことなく外枠１２に取り付けられ、また、解除レバー２２０は支軸２１８からの抜け落ちることなくヒンジ部１６の下面１６Ａに取り付けられて組立完了となる。
【００５８】
さらに、この組立状態では、図１０（Ａ）に示すように、ばね部材２３２のＵ字状部２３４の一方は貫通孔２４２の内側面と離間し、Ｕ字状部２３４は縮小方向に少し弾性変形する。この弾性力は円弧状部２３８を介して凹状部２２８に作用するため、解除レバー２２０は、支軸２１８を中心に下面視時計回転方向へ付勢され（図７の矢印Ｃ方向）、ロック部２２２の前側の角部２４４を軸受け部２１０の後面２１０Ａに当接させてロック部２２２により溝部２１４の開口２１６を閉塞する（閉塞位置）。
【００５９】
また、ばね部材２３２の付勢力に抗してレバー部２２６を前方へ引き出すよう操作すると（図１０（Ａ）の矢印Ｄ方向）、解除レバー２２０は、支軸２１８を中心に下面視反時計回転方向へ回動するとともに、ロック部２２２で閉塞していた溝部２１４の開口２１６を開放する（開放位置）。これに伴い、ばね部材２３２のＵ字状部２３４は縮小方向に更に弾性変形し、上記の操作を止めると、解除レバー２２０はばね部材２３２の付勢力（Ｕ字状部２３４の弾性力）によって回動され元の位置に戻される。
【００６０】
また、解除レバー２２０及びばね部材２３２を取り外す場合は、取り付け時とは逆の手順でばね部材２３２から取り外す。先ず、ばね部材２３２の露出部位、例えば凸状部２３６等を指で摘み、弾性力に抗して下方へ引っ張り円弧状部２３８を凹状部２２８から離脱させる。そしてそのまま、Ｕ字状部２３４を角筒部２４０の貫通孔２４２から抜き出し取り外す。ばね部材２３２が取り外されると、解除レバー２２０は支えがなくなるため、支軸２１８から抜き出して簡単に取り外すことができる。
【００６１】
また、内枠１４を外枠１２に取り付ける場合は、図６（Ｂ）に示すように、内枠１４を持ち上げ下側のヒンジ板１８０を外枠１２のヒンジ部１８に乗せるようにしながら、ヒンジ孔１７８をヒンジピン２００に挿入する。図６（Ａ）に示すように、ヒンジピン２００にヒンジ孔１７８が挿入されると、内枠１４はヒンジ板１８０を介して外枠１２のヒンジ部１８に支えられるため、その支持部を支点に内枠１４の上部側を比較的容易に動かせるようになる。
【００６２】
そして、図５（Ａ）及び図１０（Ａ）に示すように、ヒンジピン１６２をヒンジ部１６に右側（内側）から接近させ、軸受け部２１０の後面２１０Ａに沿わせて左側（外側）へ移動させると、ヒンジピン１６２は解除レバー２２０の湾曲面２２６Ａに接触する。さらに、ヒンジピン１６２を左側へ移動させると、ヒンジピン１６２は湾曲面２２６Ａに摺接しながら湾曲面２２６Ａを押圧する。これにより、解除レバー２２０は下面視反時計回転方向へ回動して、図１０（Ｂ）に示すように、溝部２１４の開口２１６を開放する。さらに、ヒンジピン１６２を左側へ突き当たるまで移動させると、図１０（Ｃ）に示すように、ヒンジピン１６２は湾曲面２２６Ａを抜け出して溝部２１４に入り込む。すると、解除レバー２２０はばね部材２３２の付勢力によって下面視時計回転方向へ回動し、図１０（Ｄ）に示すように、ロック部２２２によって溝部２１４の開口２１６を閉塞する。これにより、ヒンジピン１６２は溝部２１４から離脱できなくなりその状態に保持され、ヒンジ部１６の軸受け部２１０に回動可能に支持される。以上の手順によって、内枠１４は外枠１２に開閉可能に取り付けられる。
【００６３】
一方、内枠１４を外枠１２から取り外す場合は、通常は、ばね部材２３２によって後方（図５（Ａ）の矢印Ｒ方向）へ付勢され、鍔部１７４の下側に隠れている解除レバー２２０のレバー部２２６を指先に引っ掛け、ばね部材２３２の付勢力に抗して前方（図５（Ａ）の矢印Ｆ方向）へ引き出すように操作する。すると、ロック部２２２によって塞がれていた溝部２１４の開口２１６は開放され、ヒンジピン１６２の保持状態が解除される。その状態で、内枠１４の上部を右側へ動かすと、ヒンジピン１６２が溝部２１４から抜け出してヒンジ部１６の軸受け部２１０から離脱する。そしてそのまま、内枠１４を持ち上げ、下部側のヒンジ板１８０をヒンジピン２００から離脱させることにより、内枠１４を外枠１２から取り外すことができる。
【００６４】
以上説明したように、本実施の形態に係るパチンコ機１０では、外枠１２に内枠１４を開閉可能且つ着脱可能に取り付けるヒンジ機構において、解除レバー２２０をばね部材２３２によってヒンジ部１６に取り付けたことにより、従来のようなＥリング等の固定部材を用いる場合に比べ、解除レバー２２０の着脱が容易となる。さらに、ばね部材２３２に設けたＵ字状部２３４を外枠１２に設けた角筒部２４０の貫通孔２４２に係脱させることでばね部材２３２を外枠１２に着脱可能としたことで、ばね部材２３２の着脱も容易となる。このように、解除レバー２２０及びばね部材２３２が工具等を用いることなく素手で簡単に着脱できることにより、ヒンジ機構の組立・分解作業性が良好になる。また、ヒンジ部１６を外枠１２に一体的に設けるとともに、従来は別体であった軸受け部２１０をヒンジ部１６に一体的に設けていることにより、ヒンジ部の取付作業や軸受け部の固定作業が不要になり、部品点数も削減される。したがって、上述した固定部材の廃止と併せ、部品点数の削減が図られて生産性が向上する。
【００６５】
また、本実施の形態では、内枠１４を外枠１２に取り付ける際に、ヒンジピン１６２をヒンジ部１６の軸受け部２１０（溝部２１４）へ嵌め入れようとすると、解除レバー２２０はヒンジピン１６２に湾曲面２２６Ａが押圧され開放位置側へ移動する。そしてそのまま、開放された溝部２１４の開口２１６を通してヒンジピン１６２を溝部２１４へ嵌め入れることができる。これにより、解除レバー２２０を操作しなくてもヒンジピン１６２を溝部２１４へ嵌め入れられるようになり、内枠１４の取付作業性が良好になる。
【００６６】
以上、本発明を上述した特定の実施形態により詳細に説明したが、本発明はそれに限定されるものではなく、本発明の範囲内にて他の種々の実施形態が可能である。
【００６７】
例えば、上述した実施形態のヒンジ機構は、外枠１２の下部側（ヒンジ部１８）に設けることもできる。また、ヒンジ機構とヒンジピンの配置を逆にして、外枠１２にヒンジピンを設け内枠１４にヒンジ機構を設けることも可能である。また、ヒンジピン１６２をヒンジ部１６の軸受け部２１０に保持・保持解除する移動部材は、上述した実施形態のような回動式の解除レバー２２０に限らず、スライド式等の他の移動部材に置き換えることができる。また、軸受け部２１０に設けた溝部２１４の開口２１６は、解除レバー２２０のロック部２２２によって完全に閉塞せず、溝部２１４に嵌め入れたヒンジピン１６２を保持できる範囲内で一部を閉塞するようにしてもよい。
【００６８】
外枠については、アルミダイキャスト製に限らず樹脂成形製等の他の材質による一体構造のものでもよい。
【００６９】
【発明の効果】
本発明の遊技機は上記構成としたので、外枠に内枠を開閉可能且つ着脱可能に取り付けるヒンジ機構の組立・分解作業性が良好になるとともに部品点数が削減されて生産性が向上する。
【図面の簡単な説明】
【図１】本発明の一実施の形態に係るパチンコ機を示した斜視図である。
【図２】本発明の一実施の形態に係るパチンコ機を示した正面図である。
【図３】本発明の一実施の形態に係る外枠を示した斜視図である。
【図４】本発明の一実施の形態に係る外枠を示した斜視図である。
【図５】本発明の一実施の形態に係る上部側のヒンジ機構を示した斜視図であり、（Ａ）は内枠が外枠に支持された状態であり、（Ｂ）は離脱した状態である。
【図６】本発明の一実施の形態に係る下部側のヒンジ機構を示した斜視図であり、（Ａ）は内枠が外枠に支持された状態であり、（Ｂ）は離脱した状態である。
【図７】本発明の一実施の形態に係るヒンジ機構の組立状態を示した斜視図である。
【図８】本発明の一実施の形態に係るヒンジ機構の分解状態を示した斜視図である。
【図９】図１０（Ｄ）の９−９線断面図である。
【図１０】本発明の一実施の形態に係るヒンジ機構においてヒンジ部の軸受け部にヒンジ軸を嵌め入れてロックする様子を示した下面図であり、（Ａ）が嵌め入れ前の状態であり、（Ｂ）が嵌め入れ途中の状態であり、（Ｃ）が嵌め入れ直後の状態であり、（Ｄ）がロック状態である。
【図１１】従来の外枠を示した正面図である。
【図１２】従来の外枠を示した裏面図である。
【符号の説明】
１０        パチンコ機（遊技機）
１２        外枠
１４        内枠
１６        ヒンジ部（ヒンジ体）
１６２        ヒンジピン（ヒンジ軸）
２１０        軸受け部
２１４        溝部
２１４Ａ      内周面（軸受け面）
２１６        開口
２１８        支軸
２２０        解除レバー（移動部材／回動部材）
２２６Ａ      湾曲面（押圧部）
２３２        ばね部材（付勢部材）
２３４        Ｕ字状部（係止部／拡縮部）
２３８        円弧状部（挟持部）
２４０        角筒部（被係止部）
２４２        貫通孔（被係止部／挿入孔）
【図１】
0003714932.tif 000002
【図２】
0003714932.tif 000003
【図３】
0003714932.tif 000004
【図４】
0003714932.tif 000005
【図５】
0003714932.tif 000006
【図６】
0003714932.tif 000007
【図７】
0003714932.tif 000008
【図８】
0003714932.tif 000009
【図９】
0003714932.tif 000010
【図１０】
0003714932.tif 000011
【図１１】
0003714932.tif 000012
【図１２】
0003714932.tif 000013